(57)【特許請求の範囲】
【請求項１】
電動送風機と集塵室と集塵フィルターを内蔵し、ハンドルアーム体を有する略円筒状の掃除機本体と、
略長方形の形状をした吸気口を、前記吸気口の長手方向が前記掃除機本体の円筒軸と略平行となるように、被掃除面と対向する面に形成した吸気部と
を備える電気掃除機であって、
前記ハンドルアーム体は前記掃除機本体の略円筒状部の直径と略同等の直径の円筒状に形成され
前記掃除機本体の円筒長さ方向の略中央に前記掃除機本体の円筒軸を回動中心として回動自在に設けられており、
前記掃除機本体に内蔵されている前記電動送風機は、前記電動送風機の軸線が前記吸気口の長手方向と平行となるように、前記掃除機本体の円筒長さ方向の略中央に配設された
電気掃除機。
【発明の詳細な説明】
【０００１】
【発明の属する技術分野】
本発明は、一般家庭で使用される電気掃除機に関するものである。
【０００２】
【従来の技術】
従来、電気掃除機は、図５４に示すように構成していた。以下、その構成について説明する。
【０００３】
図５４に示すように、電動送風機５０１は、掃除機本体５０２内に配設し、この掃除機本体５０１の上方に集塵袋５０３を内蔵する集塵部５０４を有し、集塵部５０４と吸い込み部５０５はホース５０６により接続されている。図５４において、矢印により示すように、電動送風機５０１により塵埃は吸い込み部５０５の底面部５０７より空気とともに吸引され、ホース５０６の内部を重力に逆らって上昇し、塵埃は集塵袋５０３により濾過され、集塵袋５０３の内部に捕獲される。吸引された空気は集塵袋５０３を透過し、電動送風機５０１の内部を通過して排気口５０８より外部へと放出される。
【０００４】
また、充電可能な二次電池を内蔵し、置き台を兼用した充電台を有する電気掃除機は、図５５に示すように構成している。掃除機本体５０９は、二次電池および電動送風機（何れも図示せず）を収納しており、この掃除機本体５０９の下部に吸込具５１０を傾動自在に取り付けている。充電台５１１は、掃除機本体５０９に収納した二次電池を充電するもので、この充電台５１１は、吸込具５１０を載置する載置部５１２と、充電用の電源トランス、充電用の端子（何れも図示せず）を設けた箱状部５１３とを有している。
【０００５】
そして、吸込具５１０を充電台５１１の載置部５１２に載置すると、掃除機本体５０９に設けた端子と充電台５１１の端子とが電気的に接続され、二次電池に充電が行われるよう構成している。
【０００６】
また、図５６に示すように、二次電池を内蔵した掃除機本体５１４を充電器５１５にセットすることにより、掃除機本体５１４内の電動送風機５１６に接続される回路を強制的に遮断して充電専用の回路に切り替えるものがある。
【０００７】
掃除機本体５１４を充電器５１５にセットすると、充電端子５１７ａが変形端子５１８ａに接触すると同時に変形させ、固定端子５１８ｃから変形端子５１８ａが離れる。この動作により、電動送風機５１６はスイッチ５１９の開閉にかかわらず閉路となり、充電専用の回路となる。
【０００８】
これは、スイッチ５１９が入った状態で充電をしようとした場合、電動送風機５１６での消費電力が充電器５１５の充電能力を上回るために実質的には充電ができず、使用しようとしたときには完全に放電していて使えないという問題をなくするためで、回路を切り替えることにより、スイッチ５１９の状態に関わりなく確実に充電することができる。
【０００９】
【発明が解決しようとする課題】
しかしながら、掃除機本体５０２に電動送風機５０１を配設しているので、掃除機本体５０２の重量および体積が大きく、使用中に把手１１８にかかる重量が大きく、操作性もよくないという課題を有していた。
【００１０】
また、掃除機本体５０２を床面に対して略垂直状態として、掃除機本体５０２を後方へ回動する場合は、掃除機本体５０２の後方に障害物がないため容易に回動可能であるが、前方に回動させる場合は、掃除機本体５０２の下部と、吸い込み部５０５の上部が当たり掃除機本体５０２の回動が抑制される。このため、把手１１８を持って掃除機本体５０２を往復させる距離が限られ、また、掃除機本体５０２を一往復させる床面積も限られ、往復させる回数が増え床面等を掃除する時間が長くなったりしていた。
【００１１】
本発明は上記従来の課題を解決するもので、把手を持って掃除機本体を往復させる距離が長くなるようにし、使い勝手を向上することを目的としている。
【００１２】
【課題を解決するための手段】
本発明は、上記目的を達成するために、電動送風機と集塵室と集塵フィルターを内蔵し、ハンドルアーム体を有する略円筒状の掃除機本体と、略長方形の形状をした吸気口を、前記吸気口の長手方向が前記掃除機本体の円筒軸と略平行となるように、被掃除面と対向する面に形成した吸気部とを備える電気掃除機であって、前記ハンドルアーム体は前記掃除機本体の略円筒状部の直径と略同等の直径の円筒状に形成され前記掃除機本体の円筒長さ方向の略中央に前記掃除機本体の円筒軸を回動中心として回動自在に設けられており、前記掃除機本体に内蔵されている前記電動送風機は、前記電動送風機の軸線が前記吸気口の長手方向と平行となるように、前記掃除機本体の円筒長さ方向の略中央に配設されたものであり、掃除する際に、ハンドルアーム体に形成した把手を持って掃除機本体を往復させるとき、往復移動距離を長くでき、往復させる回数が減少して使い勝手を向上することができる。
【００１３】
【発明の実施の形態】
請求項１に記載の発明は、電動送風機と集塵室と集塵フィルターを内蔵し、ハンドルアーム体を有する略円筒状の掃除機本体と、略長方形の形状をした吸気口を、前記吸気口の長手方向が前記掃除機本体の円筒軸と略平行となるように、被掃除面と対向する面に形成した吸気部とを備える電気掃除機であって、前記ハンドルアーム体は前記掃除機本体の略円筒状部の直径と略同等の直径の円筒状に形成され前記掃除機本体の円筒長さ方向の略中央に前記掃除機本体の円筒軸を回動中心として回動自在に設けられており、前記掃除機本体に内蔵されている前記電動送風機は、前記電動送風機の軸線が前記吸気口の長手方向と平行となるように、前記掃除機本体の円筒長さ方向の略中央に配設されたものであり、ハンドルアーム体は、デザイン上目立たなくなり、小型化することができる。さらに、ハンドルアーム体の径は、掃除機本体の外周の径と同等に大きくさせることよりハンドルアーム体の強度を向上することができる。
【００１４】
また、掃除機本体の重量バランスを向上することができ、容易に持ち運びすることができる。
【００１５】
【実施例】
以下、本発明の実施例について、図面を参照しながら説明する。
【００１６】
（参考例１）
本発明の参考例１について、図１から図７を参照しながら説明する。
【００１７】
図１から図３に示すように、掃除機本体１は、前側に吸い込み部２を備え、後方に集塵部３と電動送風機４を備えた本体部５を有している。ハンドル６は把手７を備え、本体部５に回動自在に設けた軸支部８に取り付けている。電池１０は電源用の１次電池または２次電池であり、本体部５と吸い込み部２との間に配設し、熱収縮フィルムで一体化して設置している。
【００１８】
集塵部３は、フィルター１１を内蔵し、本体部５の取り付け部１２に嵌合させて、図示しない尾錠で着脱自在に取り付けられ、略円筒状の構成となっている。集塵部３には、図４に示すように、外周に吸気パッキン１３を取り付けた吸気口１４を形成してあり、吸い込み部２に設けた吸気部１５と連通する吸気通路１６の端面に圧接している。
【００１９】
電動送風機４は弾性体からなる支持体１７で保持し、図５に示すように、モータケース１８とともに本体部５に図示しないねじで固定されている。さらにハンドル部６の軸支部８はモータケース１８の外周を軸受け部にして回動自在に取り付けてある。また、電動送風機４は、図７に示すように、電流ヒューズ１９及び電源スイッチ２０を介して電源用の電池１０に並列に接続している。そして、吸い込み部２、集塵部３、電動送風機４、吸気通路１６、および電池１０は掃除機本体１内で互いに略平面上に配設している。
【００２０】
上記構成において、吸い込み部２から電動送風機４の吸引空気とともに吸引された塵埃は、吸気通路１６を通過して集塵部３に運ばれてフィルター１１で捕獲される。このとき、集塵部３、電動送風機４は吸い込み部２と略平面上に配設しているので、塵埃は床面近傍のほぼ水平面上を移動するだけでよく、上方に持ち上げる必要がないので、小さなエネルギーで比較的質量が大きい塵埃を捕獲することができ、電池１０および電動送風機４を小型、軽量にできる。
【００２１】
また、構成部品をすべて掃除機本体１内に収納し、ハンドル部６は単独で掃除機本体１と回動自在に構成しているので、使用時に掃除機本体１の重量は把手７に作用せず、掃除中の負荷を軽くすることができる。
【００２２】
つぎに、図１から図３に示すように、吸い込み部２の後方に設けた本体部５に構成した集塵部３および電動送風機４は、それぞれの軸線Ｈ−Ｈを吸い込み部２の長手方向と平行に配設してあり、かつ本体部５の幅寸法Ｌは吸い込み部２の幅寸法Ｗより小さく構成している。
【００２３】
上記構成において、本体部５の集塵部３及び電動送風機４はそれぞれの軸線を吸い込み部２の長手方向と平行に配設してあるので、前後方向の寸法を小さくコンパクトにすることができる。スタンド収納時の壁際に置いたときの突出が少なく、収納性をよくすることができる。また、本体部５の幅寸法Ｌを吸い込み部２の幅寸法Ｗより小さく構成してあるので、掃除中に本体部５の側面が吸い込み部２より先に家具等に当たることがなく、吸い込み部２の幅全域を有効に活用して塵埃を捕獲できるため、掃除効率を高めることができる。
【００２４】
つぎに、図１と図５に示すように、第１の走行ローラ２１は、本体部５の下面に設け、電池１０はこの第１の走行ローラ２１と吸い込み部２との間に配設してあり、蓋体２２を着脱させることにより取り外しできるように構成している。また、図５において、吸い込み部２と本体部５は上面を双方にほぼ接する傾斜平面２３で構成している。
【００２５】
上記構成において、電池１０の重量は第１の走行ローラ２１を中心に吸い込み部２を床面に押し当てる方向に作用し、吸い込み部２と床面との隙間を安定して確保でき、集塵効率を高めることができる。また、傾斜平面２３によって掃除中に家具等の下にスムーズに挿入でき、つっかかりを少なくすることができ、使い勝手を高めることができる。
【００２６】
また、図１と図６に示すように、吸い込み部２には一方の端に設けた吸気部１５と反対側の端に排気部２４を構成してあり、モータケース１８の排気口２５から本体部５の排出部２６を通して排気部２４に連通する排気通路２７を構成している。そして、吸い込み部２内には毛ブラシまたはゴムブレード等からなるリップ体２８を軸体２９に装着したブラシ体３０を軸受３１で回転自在に取り付け、電動機３２によってベルト体３３を介して回転駆動できるようにしている。ブラシ体３０は塵埃掻き上げ体を構成するものである。
【００２７】
また、リップ体２８は水洗可能な毛またはゴム材料で、軸体２９は同じく水洗可能な合成樹脂材料で構成しており、上カバー３４を掃除機本体１からはずすことにより、軸受３１とともに着脱できる構成となっている。そして、電動機３２の外周の一部を排気通路２７に臨ませて構成している。また、図７に示すように、電動機３２も電池１０に並列に電気接続している。
【００２８】
上記構成において、電動送風機４からの排気は、排気口２５、排出部２６から排気通路２７を通って排気部２４から床面に放出されて床面の塵埃をまき上げると同時に、排気部２４から吸い込み部２の中を通って吸気部１５に流れ込む循環流を形成し、集塵部３への塵埃の移動を容易にし、集塵効率を高めることができる。また、ブラシ体３０の回転による掻き上げと循環流の相乗作用によって、ブラシ体３０の回転による掻き上げのみの場合、およびブラシ体３０がなく循環流のみによる場合と比べて、集塵効率を高めることができる。
【００２９】
さらに、ブラシ体３０を水洗可能に構成しているので、常に清潔に保つことができるとともに、排気循環流でブラシ体３０を早く完全に乾燥させることができ、衛生的な構成にできる。また、電動機３２に排気を当てることにより、電動機３２の出力を大きくしても、巻線部および摺動ブラシの温度上昇を抑えることができ、耐久性を向上することができる。
【００３０】
つぎに、図４に示すように、吸い込み部２の後方下面には吸い込み部２の略全幅域にわたって、ブラシ体３０の外周後端より前側に突出させて構成した掻き取り部３５を設け、この掻き取り部３５の後方に平面部を有し、塵埃を一時保持できる保持部３７を設けている。また、図３および図５に示すように、本体部５の下面に第１の走行ローラ２１を設けるとともに、吸い込み部２の後ろ両側に第２の走行ローラ３６を配設している。
【００３１】
上記構成において、掻き取り部３５を設けることによって、ブラシ体３０の回転により掻き上げられた塵埃を保持部３７にすくい取る塵取り部を形成しているため、塵埃を集塵部３に移送し易くなり、集塵効率を高めることができる。そして、第２の走行ローラ３６により、吸い込み部２の前端を床面に対して浮かせることができ、吸い込み部２の前側下端Ｅは全域にわたって床面との間に隙間を形成し、吸い込み部２の全域からの塵埃の吸塵を容易にでき、かつ絨毯上での突っかかり等の操作抵抗を軽減でき、集塵効率が高く、使い勝手を高めることができる。
【００３２】
（参考例２）
つぎに、参考例２について、図８から図１２を参照しながら説明する。
【００３３】
図８から図１０に示すように、掃除機本体１０１は、内部に塵埃を蓄積する集塵室１０２を有し、この集塵室１０２に集塵フィルタ１１３と吸引ファン１１２を有する電動送風機１０４を設けている。ブラシ体１０６は、塵埃を床面から掻き上げるもので、軸受１１６により軸支され、電動機１０５によりベルト１１４およびプーリー１１５を介して駆動される。電池１１８は、電動送風機１０４、電動機１０５などを駆動するものである。
【００３４】
吸い込み部１１７より集塵室１０２に連通する吸気部１０８と、電動送風機１０４からの排気を吸い込み部１１７に放出する排気部１０７とを設け、排気部１０７から吸気部１０８へと循環する気流が生じる構成とし、電動送風機１０４から放出される排気風１０９の一部を吸い込み部１１７の排気部１０７へと循環させ、排気風の一部を吸い込み部１１７以外へと放出し、排気部１０７から吸気部１０８へと循環する吸気風１１０の風量を電動送風機１０４からの総排気量の５０〜９５％としている。
【００３５】
上記構成において、電動送風機１０４が駆動されると、集塵室１０２の内部を負圧状態とする。電動送風機１０４より放出される排気風１０９は、図１１および図１２に示すように、一部は電動送風機１０４の後方より吸い込み部１１７へと連通する排気部１０７から床面へと叩き付けられ、残りは吸い込み部１１７と外部を連通する排気口１２０から外部へと放出される。これにより、床面上の塵埃１０３が吸い込み部１１７で吹き飛ばされ、床面より遊離する。
【００３６】
また、吸い込み部１１７には、両端を軸受１１６で掃除機本体１０１と回転自在に構成したブラシ体１０６を設けており、このブラシ体１０６は、プーリー１１５とベルト１１４によって電動機１０５からの動力を伝達され回転する。このブラシ体１０６が回転することで、絨毯などの床面の毛足の奥に潜んだ塵埃を掻き出す。
【００３７】
ブラシ体１０６および排気風１０９により床面より遊離された塵埃１０３は、気部１０７から吸気部１０８へと循環する気流に乗り、吸気部１０８より集塵室１０２の内部へと運ばれ、集塵フィルタ１１３により集塵室１０２の内部へ蓄積される。それによって、電動送風機１０４の吸引力が弱くても、排気風１０９を床面に吹き付けることで、床面から塵埃１０３を舞い上げ、集塵効率を向上可能となる。
【００３８】
また、床面に叩きつけられる排気風１０９の風量、風速が大きすぎるために生じる塵埃１０３の吸い込み部１１７への飛散を防止することが可能となる。さらに、電動送風機１０４より生じる熱を吸い込み部１１７以外へ放出する排気と共に外部へ放熱可能なため、電気掃除機の温度上昇を抑制することが可能となる。
【００３９】
排気の一部を外部に放出し、すべてを吸気部１０８へと循環させないため、電動送風機１０４等の温度上昇を抑えることが可能となり、耐久性を向上することができる。加えて、毛足の長い絨毯等の床面では、ブラシ体１０６が床面を掻き上げることで、毛足の奥まで排気風１０９が到達し、床面深部の塵埃を吹き上げることができる。
【００４０】
（参考例３）
つぎに、参考例３について、図１３および図１４を参照しながら説明する。
【００４１】
図に示すように、風量調節弁１１９は、排気部１０７より吸い込み部１１７に循環する風量、または排気口１２０へ放出する風量、あるいはその両者をそれぞれ調整可能としている。他の構成は上記第２の参考例と同じである。
【００４２】
上記構成において、風量調節弁１１９は回転自在に構成されており、排気部１０７より床面に叩き付けられる排気風１０９の風量または排気口１２０へ放出される風量、あるいはその両者を床面の種類、集塵室内の塵埃量などにより最適に調整する。これにより、床面に叩きつけられる排気風９の風量、風速が大きすぎるために生じる塵埃の吸い込み部１１７の外部への飛散を抑えながら、床面の種類、あるいは集塵室内の塵埃の量により、床面の塵埃を最も効率よく集塵することができる。
【００４３】
（参考例４）
つぎに、参考例４について、図１５を参照しながら説明する。
【００４４】
図１５に示すように、吸い込み部１１７の一端に吸気部１０８を設けるとともに、これに相対するもう一端に排気部１０７を設け、排気部１０７より放出された排気風１０９が吸い込み部１１７の長手方向へ床面とほぼ平行に通過して、吸気部１０８へ循環する気流が生じるよう構成している。他の構成は上記参考例２と同じである。
【００４５】
上記構成において、排気部１０７より吸気部１０８へと循環する気流が、吸い込み部１１７の長手方向へ床面とほぼ平行に生じるため、塵埃および空気は床面近傍のほぼ水平面上を移動することになり、重力による妨げを受けにくくなる。また、排気風１０９を床面に吹き付けることで、床面から塵埃を舞い上げ、集塵効率を向上することができる。
【００４６】
また、排気部１０７より吸気部１０８へと循環する気流が、吸い込み部１１７の開口下部の床面全体を隈なく通過するため、排気風１０９が吸気部１０８へと最も長い距離をスムースに流れるようになり、床面の広範囲で集塵効果を向上することができる。また、排気風１０９は吸気部１０８へと循環し、吸い込み部１１７の外部へ排気が漏れないようにしているため、吸い込み部１１７の下部の塵埃が吸い込み部１１７の外部へ飛散せず、使い勝手を向上することができる。
【００４７】
また、図１６に示すように、吸い込み部１１７の左右両端に排気部１０７を設け、これら排気部１０７の中間に吸気部１０８を設けることにより、２つの排気部１０７より床面に叩きつけられた排気風１０９は、共に内側の吸気部１０８へと循環し、排気部１０７と吸気部１０８の距離が小さくなり、塵埃の移動距離が減ることで集塵性能を向上することができる。
【００４８】
また、排気風１０９が吸い込み部１１７から吸い込み部１１７外部へと漏れるのを抑えることが可能となり、吸い込み部１１７の下部の塵埃が吸い込み部１１７外部へ飛散せず、使い勝手を向上することができる。
【００４９】
また、図１７に示すように、吸い込み部１１７の左右両端に吸気部１０８を設け、これら吸気部１０８の中間に排気部１０７を設けることにより、吸い込み部１１７の中央の排気部１０７より床面に叩きつけられた排気風１０９は２分され、それぞれ吸い込み部１１７両端の吸気部１０８へと循環する。これにより、吸い込み部１１７の中央部付近での集塵能力を向上することができ、床面上の塵埃を狙って電気掃除機を操作することが容易となる。
【００５０】
（参考例５）
つぎに、参考例５について、図１８および図１９を参照しながら説明する。
【００５１】
図１８および図１９に示すように、排気部１０７は、吸い込み部１１７の前方で、吸い込み部１１７の略全幅にわたって設けている。吸気部１０８は吸い込み部１１７の後方に設けており、排気風１０９は排気部１０７から、吸い込み部１１７の前方より幅方向に拡散されて床面へと叩きつけられるよう構成している。他の構成は上記参考例２と同じであり、同じ構成のものは同一符号を付して説明を省略する。
【００５２】
上記構成において、排気風１０９により、吸い込み部１１７の幅方向全体の床面上の塵埃がまんべんなく吹き飛ばされ、床面より遊離する。それにより、排気風１０９による塵埃吹き飛ばし効果が広範囲に生じ、広範囲の床面をむらなく集塵することができる。
【００５３】
また、図２０に示すように、排気部１０７を吸い込み部１１７の後方で、吸い込み部１１７の略全幅にわたって設け、吸気部１０８を吸い込み部１１７の前方に設け、排気風１０９は排気部１０７から、吸い込み部１１７の後方より幅方向に拡散されて床面へと叩きつけられるよう構成することにより、排気風１０９により、吸い込み部１１７の幅方向全体の床面上の塵埃がまんべんなく吹き飛ばされ、床面より遊離する。
【００５４】
このとき、図２１に示すように、電気掃除機操作時に吸い込み部１１７が進行することによる絨毯などの毛足がたわみ方向と、排気風１０９の吹き付け方向が同一となり、絨毯などの毛足の奥まで排気風１０９が吹き付けられる。これにより、排気風１０９による塵埃吹き飛ばし効果が広範囲に生じ、広範囲の床面をむらなく集塵することができるとともに、集塵能力を向上することができる。
【００５５】
（参考例６）
つぎに、参考例６について、図２２を参照しながら説明する。
【００５６】
図２２に示すように、排気部１０７は、開口面積を吸気部１０８の開口面積より狭く設定し、排気部１０７から放出される排気風１０９の風速を吸気部１０８へ吸引される吸気風１１０の風速より高速となるようにしている。他の構成は上記参考例２と同じである。
【００５７】
上記構成において、排気部１０７の開口面積を狭くすることで、排気風１０９の風速を増加させ、床面へと叩きつけることにより、排気風１０９を床面へ強力に吹き付けることができ、毛足の長い絨毯などの床面の深部に潜む塵埃等を床面から舞い上げ、集塵効率を向上することができる。
【００５８】
また、図２３に示すように、排気部１０７の開口面積を吸気部１０８の開口面積より広く設定し、排気部１０７から放出される排気風１０９の風速を吸気部１０８へ吸引される吸気風１１０の風速より低速となるようにすることにより、床面に叩きつけられる排気風１０９の風速が高すぎるために生じる塵埃の吸い込み部１１７外部への飛散を防止することができる。
【００５９】
また、排気部１０７から放出される排気風１０９の風速を吸気部１０８へ吸引される吸気風１１０の風速とほぼ同一とすることにより、排気風１０９を床面に吹き付けて床面から塵埃を舞い上げ、集塵効率を向上できるとともに、排気部１０７から吸気部１０８へ生じる気流の風速が安定し、床面より遊離した塵埃をスムースに吸気部１０８より集塵することができる。
【００６０】
また、図２４に示すように、排気部１０７および吸気部１０８の近傍に風量調節弁１１９を左右にスライド自在に設け、排気部１０７および吸気部１０８の開口面積を自在に調整し、排気部１０７から放出される排気風１０９の風速または吸気部１０８へ吸引される吸気風１１０の風速もしくはその両者を調整自在とすることにより、たとえば、絨毯などの床面では、排気部１０７側の風量調節弁１１９を絞り、吸気部１０８側の風量調節弁１１９を開くことで、排気風１０９の風速を増大させて、毛足の奥の塵埃を舞い上げ、集塵性能が向上することができる。また、木床などでは、逆に排気部１０７側の風量調節弁１１９を開き、吸気部１０８側の風量調節弁１１９を絞ることで、床面上の塵埃が周囲に飛散するのを抑制することができる。
【００６１】
また、図２５に示すように、排気部１０７と吸気部１０８の近傍に、排気風１０９と吸気風１１０をスムースにガイドするためのガイド壁１１１を設けることにより、排気部１０７付近に設けたガイド壁１１１により排気風１０９を吸気部１０８へと向かう方向にガイドし、吸気部１０８付近に設けたガイド壁１１１により吸気風１１０を吸気部１０８へと向かう方向にガイドすることができ、排気風１０９が吸気部１０８へスムースに流れるようになり、吸い込み部１１７内の気流が安定し、排気風１０９によって床面より遊離された塵埃をスムースに吸気部１０８より集塵することができる。
【００６２】
（参考例７）
つぎに、参考例７について、図２６を参照しながら説明する。
【００６３】
図２６に示すように、ブラシ体（塵埃掻き上げ体）１０６を回転自在または振動自在に構成し、このブラシ体１０６に帯状の塵埃掻き上げ部１０６ａを螺旋状に取り付け、ブラシ体１０６を回転させることで発生する帯状の塵埃掻き上げ部１０６ａのひねりに沿った気流と、排気部１０７から吸気部１０８へと流れる気流の向きを一致させている。他の構成は上記参考例２と同じである。
【００６４】
上記構成において、排気部１０７からの排気風１０９により舞い上げられた床面の塵埃は、ブラシ体１０６が回転することによって生じる帯状の塵埃掻き上げ部１０６ａのひねりに沿った気流の進行方向に合わせて吸気部１０８へと進むため、帯状の塵埃掻き上げ部１０６ａに塵埃が衝突することで塵埃の流れが妨げられることがなく、吸気部１０８へと運ばれる。これにより、吸い込み部１１７内の気流と塵埃の流れがスムースとなり、集塵性能を向上することができる。
【００６５】
（実施例１）
つぎに、実施例１について、図２７から図３１を参照しながら説明する。
【００６６】
図２７から図３１に示すように、掃除機本体２１５は、内部に端部より、集塵室２１６、集塵フィルター２１７、電動送風機２１８を長手方向に平行に配設しており、略円筒状に形成している。
【００６７】
掃除機本体２１５の前方には、塵埃を吸引する吸気口２１９を設けており、塵埃は吸気口２１９より吸引され、集塵室２１６の内部に捕獲される。また、集塵室２１６内部から排出される排気は、電動送風機２１８の後方より、外気に排出または、吸気口２１９に排出している。電動機２２０は、吸気口２１９近傍に設けたブラシ体２２１をベルト２２２を介して回転させている。
【００６８】
掃除機本体２１５の一端には、集塵室蓋２２３を設けており、他端には掃除機本体２１５の外郭を形成する上部外郭２２４を設けている。
【００６９】
略円筒状の掃除機本体２１５の外周２２５には、掃除機本体２１５の略中心を回動中心２２６として、掃除機本体２１５の外周２２５を回動する略円筒状のハンドルアーム体２２７を形成している。ハンドルアーム体２２７は、吸気口２１９を床面等に常に略平行に接するように、掃除機本体２１５の吸気口２１９を回動させる。
【００７０】
また、ハンドルアーム体２２７の外径は、掃除機本体２１５の外周２２５と略同等の径に形成しており、ハンドルアーム体２２７の外周からは、棒状の突出部２２８を配設し、突出部２２８の端部にパイプ等からなる複数の延長管２２９を挿入し、この延長管２２９の先端には、掃除機本体２１５を操作する時のグリップ性のある把手２３０を形成している。
【００７１】
上記構成において、略円筒状のハンドルアーム体２２７は、略円筒状の掃除機本体２１５の外周２２５と同等の形状より、デザイン的に凹凸をなくすることができ、小型化ができる。さらに、回動するハンドルアーム体２２７の外径は、掃除機本体２１５の外周２２５と同等の径の大きさであるので、大きな衝撃がハンドルアーム体２２７に加わっても割れにくくでき、強度を向上することができる。
【００７２】
そして、掃除する際に、ハンドルアーム体２２７に形成した把手２３０を持って掃除機本体２１５を往復させるとき、往復移動距離を長くでき、往復させる回数が減少して使い勝手を向上することができる。
【００７３】
また、図２９に示すように、ハンドルアーム体２２７を、掃除機本体２１５の長手方向で略中央に位置させ、ハンドルアーム体２２７の内側に、電動送風機２１８を配設している。この構成により、ハンドルアーム体２２７からの棒状の突出部２２８等を持って運ぶ際、ハンドルアーム体２２７は、掃除機本体２１５の略中央に位置しているため、掃除機本体２１５の重量バランスがよくなり、持ち運びがしやすくなる。
【００７４】
さらに、掃除機本体２１５内の、集塵室２１６、電動送風機２１８の配置に無駄なスぺースを必要とせず、掃除機本体２１５の全体を小型軽量にすることが可能となる。
【００７５】
また、図２９および図３０に示すように、電動送風機２１８の外周を覆うカバー２３１の外周を支軸２３２とし、ハンドルアーム体２２７を支軸２３２上で摺動させている。またカバー２３１は、一部を掃除機本体２１５の外郭を形成しており、カバー２３１の両端に配設された集塵室蓋２２３と上部外郭２２４とで、係止されている。この構成により、ハンドルアーム体２２７の回動構成は、ハンドルアーム体２２７とカバー２３１の２部品で構成でき、複雑な部品を使用することなく容易に形成することができる。
【００７６】
また、図２７および図２８に示すように、ハンドルアーム体２２７からの棒状の突出部２２８、パイプ等からなる複数の延長管２２９およびグリップ性のある把手３０の先端には、雄ねじまたは雌ねじが形成されており、それぞれ着脱自在になっている。この構成により、図３１に示すように、使用者の使い勝手がよい高さに応じて、延長管２２９の使用本数を変えて、把手２３０の手元高さを調整することができ、使い勝手を向上することができる。さらに、各延長管２２９および把手２３０を外すことにより、小さな収納スペースにも収納可能となる。
【００７７】
また、図３２に示すように、棒状の突出部２２８と、グリップ性のある把手２３０とをねじ等で着脱自在に構成することにより、グリップ性のある把手２３０を突出部２２８に接続し、把手２３０を持って掃除をすれば、ハンディータイプの掃除機として使用でき、また、把手２３０はグリップ性があるため違和感なく操作することができる。
【００７８】
また、図３３に示すように、棒状の突出部２２８を第２の把手として使うことにより、ほうき形電気掃除機から確実にハンディータイプの掃除機として使用でき、掃除用途が広がり、使い勝手を向上することができる。
【００７９】
（実施例２）
つぎに、実施例２について、図３４および図３５を参照しながら説明する。
【００８０】
図３４に示すように、略円筒状のハンドルアーム体２２７は、略円筒状の掃除機本体２１５の外周２２５と同じ軌跡を回動するよう構成し、ハンドルアーム体２２７は、掃除機本体２１５の前後方向に大きく回動し、このハンドルアーム体２２７の回動は、棒状の突出部２２８が障害物に当たるまで可能となるため、掃除機本体２１５の前後方向に、床面に対して約９０゜回動させるよう構成している。他の構成は上記実施例１と同じである。
【００８１】
上記構成において、図３４に示すように、狭いテーブルの下等を掃除するとき、延長管２２９の長さＬａを有効に活用でき、奥のほうまで掃除可能となる。また、掃除機本体２１５の前方、後方とどちら側からも使用者の使い勝手に応じて掃除可能となる。
【００８２】
また、図３５に示すように、従来の掃除機本体の回動方向は、後方回動が主流であるため、掃除機本体の移動距離は、使用者の手の長さと、掃除機本体の移動距離Ｌ１の和であったが、掃除機本体２１５の回動を前方方向にも大きく回動させることを可能としたため、距離Ｌ２まで掃除機本体２１５の移動が可能となり、掃除機本体２１５を一往復させる掃除床面積が大きくなり、掃除機本体２１５を往復させる回数が減り、時間を短縮させることができる。
【００８３】
また、図３６に示すように、掃除機本体２１５の下方後方に凸部２３３を形成し、掃除機本体２１５を床面に対して垂直方向に倒したとき、凸部２３３と掃除機本体２１５の外周２２５が床面に接し、ヒールレスト２３３ａとしての機能をもたせることにより、掃除機本体２１５を垂直方向に倒して、スタンデング状態にすることができ、掃除機本体２１５を狭い場所に収納する際、掃除機本体２１５を床面に対し垂直方向に倒し、また、ハンドルアーム体２２７を掃除機本体２１５の前方方向に回動させることより、収納スペースの奥行寸法Ｌ３を短くすることができ、収納性を向上することができる。
【００８４】
（実施例３）
つぎに、実施例３について、図３７から図４０を参照しながら説明する。
【００８５】
図３７および図３８に示すように、ハンドルアーム体２２７の内側に、リブ２３４で固着した板状のバネ２３５を設け、このバネ２３５の略中央は、図３９に示すように、回動中心２２６に向かって略円弧状２３６に突出させている。
【００８６】
バネ２３５の略円弧状２３６に相対して、カバー２３１に凹部２３７を形成したボス２３８を複数個配置している。バネ２３５は、ハンドルアーム体２２７が回動する位置に応じて、凹部２３７に嵌合し係止されている。
【００８７】
バネ２３５の略円弧状２３６が凹部２３７に嵌合し、係止させるバネ力は、棒状の突出部２２８等を持って、掃除機本体２１５を空中に浮かした時、吸気口２１９を構成する各部品の重量で吸気口２１９が自然に回動する力を（Ｆ）とし、また、把手２３０を持ってハンドルアーム体２２７を掃除機本体２１５に回動させる力を（Ｆ１）としたとき、バネ力は、（Ｆ）≦（Ｆ１）となるよう設定している。また、バネ２３５の略円弧状２３６が各凹部２３７に嵌合し、係止させるバネ力は、（Ｆ）よりやや大きく設定している。他の構成は上記実施例１と同じである。
【００８８】
上記構成において、把手２３０を持って掃除機本体２１５を空中に浮かした時は、バネ２３５は、複数個の凹部２３７のいずれかに付勢され、ハンドルアーム体２２７の回動を抑制し、把手２３０を持って掃除機本体２１５を持ち運ぶ際、ハンドルアーム体２２７が容易に回動することなく、掃除機本体２１５の係止状態が維持され、持ち運びに違和感なく運ぶことができる。
【００８９】
また、掃除状態にしたい時で、ハンドルアーム体２２７を掃除機本体２１５の後方に回動させれば、吸気口２１９はハンドルアーム体２２７に追随することなくスムーズに掃除状態に移行できる。
【００９０】
また、図３７および図３９に示すように、ハンドルアーム体２２７からの棒状の突出部２２８が床面に対して略垂直の位置で、掃除機本体２１５の略中心線上２３９に、バネ２３５の略円弧状２３６を配置し、また、カバー２３１に設けた複数個の１つの凹部２３７を配置している。凹部２３７を形成したボス２３８の両端には、突出代２４０を形成している。突出代２４０の掃除機本体２１５の前方側を第１の突出代２４１とし、反対に、掃除機本体１５の後方側を第２の突出代２４２としたとき、前方側の第１の突出代２４１は、後方側の第２の突出代２４２に比べやや外側に大きく突出している。
【００９１】
この構成より、ハンドルアーム体２２７を回動させると、ハンドルアーム体２２７と連動しているバネ２３５の略円弧状２３６は、突出代２４０に乗り上げられる。ここで、前方側の第１の突出代２４１は、後方側の第２の突出代２４２比べ、やや外側に大きく突出しているため、バネ２３５の略円弧状２３６が突出代２４０に乗り上げる力が大きくなることから、図４１に示すように、把手２３０によりハンドルアーム体２２７を掃除機本体２１５の後方に回動させる力（Ｆ２）は、前方に回動させる力（Ｆ３）より小さくなる。
【００９２】
したがって、延長管２２９および把手２３０を床面に対し垂直状態にした通常の掃除機本体２１５の収納時または保管時に、スタンデング状態での放置性が向上し、延長管２２９および把手２３０が容易に傾き倒れることがなくなる。
【００９３】
また、把手２３０を持って、ハンドルアーム体２２７を回動させる動作は、実際に掃除をする際は、掃除機本体２１５の後方に回動することが多いことから、ハンドルアーム体２２７の回動力が、床面に対し垂直状態の位置で変化しても操作上、把手２３０を床面に対し垂直状態にして操作することは少なく、操作上問題なく使用することができる。
【００９４】
（実施例４）
つぎに、実施例４について、図４２を参照しながら説明する。
【００９５】
図４２に示すように、リミットスイッチ２４３は、電動送風機２１８への通電回路を入り、切りするもので、カバー２３１に凸リブ２４４により固着している。また、ハンドルアーム体２２７の内側には、ハンドルアーム体２２７の回動時にリミットスイッチ２４３の接点部２４５を押す接点リブ２４６を形成している。他の構成は上記実施例１と同じである。
【００９６】
上記構成において、ハンドルアーム体２２７を回動させることにより、接点リブ２４６は、リミットスイッチ２４３の接点部２４５を動作させるので、ハンドルアーム体２２７を回動させることで、起動および停止をするスイッチを操作することなく、すぐに掃除状態となり、使い勝手を向上することができる。
【００９７】
（参考例８）
つぎに、参考例８について、図４３から図４６を参照しながら説明する。
【００９８】
図に示すように、電気掃除機本体３０１は、上部に操作用のハンドル３０２を傾動自在に設けている。掃除機本体３０１の内部には二次電池３０３と、これにより駆動される電動送風機３０４を搭載している。すなわち、掃除機本体３０１の後方に電動送風機３０４を配設し、この電動送風機３０４の吸引側に集塵部３０１ｂを形成している。また、掃除機本体３０１の前方には塵埃を吸い込む吸い込み部３０１ａを設け、この吸い込み部３０１ａと集塵部３０１ｂとは連通路を介して接続されている。吸い込み部３０１ａの上部に二次電池３を配設している。
【００９９】
さらに、掃除機本体３０１の後方下面には充電用の端子接続部３０５と、穴部３０６とを設けている。端子接続部３０５は掃除機本体３０１の中心部から外れた電動送風機４の後部の電動機３０４ａの外周部の空間に配置している。端子接続部３０５は下面から電動送風機３０４、電動機３０４ａの外周側空間内に入り込む凹部形状をしており、この凹部の内壁に端子３０５ａを取り付けている。掃除機本体３０１の後端部には走行用の後部ローラー３１６を掃除機本体３０１の下面および後面から突出する形で設けている。
【０１００】
充電器３０７は、箱状部３０８と充電用の端子部３０９とで構成し、充電用の端子部３０９は、箱状部３０８の前部に設け掃除機本体３０１の端子接続部３０５の凹部内に挿入される。箱状部３０８内の端子部３０９の近傍に充電用の電源トランス３１０を収納している。
【０１０１】
また、箱状部３０８の前面下端に前方に延びる板状部（載置部に相当）３１１を形成し、更にその板状部３１１に掃除機本体３０１の穴部３０６に挿入される凸部３１２を設けている。掃除機本体３０１の端子接続部３０５内に充電器３０７の端子部３０９を挿入し、端子同士を接続した状態で、掃除機本体３０１の穴部３０６内に板状部３１１の凸部３１２がはまり合い、端子接続部３０５と端子部３０９との接続、および穴部３０６と凸部３１２とのはまり合いにより、掃除機本体３０１が充電器３０７の決められた位置で規制されることになる。
【０１０２】
箱状部３０８の両側面からは、ガイド３１３を前方に延設しており、このガイド３１３は掃除機本体３０１を充電器３０７上に載置する場合、端子接続部３０５と端子部３０９および穴部３０６と凸部３１２が各々対応するように案内するもので、ガイド３１３の間隔Ａと掃除機本体３０１の充電器３０７に置かれる部分の幅Ｂとの関係はＡ≧Ｂである。好ましくはＡをＢより若干大きく設定する。
【０１０３】
箱状部３０８の前面上部は傾斜面３１４を形成し、この傾斜面３１４上を掃除機本体３０１の後部ローラー３１６がころがるようにしている。箱上部３０８の上面には通電表示用の表示ランプ３１５を設けている。
【０１０４】
上記構成において、内部に二次電池３０３と電動送風機３０４を収納し、充電用の端子接続部３０５を有する掃除機本体３０１と、掃除機本体３０１とは別に設けた充電器３０７とからなり、かつその充電器３０７は電源トランス３１０を収納する箱状部３０８と、この箱状部３０８より前方に突出した充電用の端子部３０９とによって構成することで、充電器３０７自体の大きさをコンパクトにすることができる。
【０１０５】
特に、充電器３０７は掃除機本体３０１の後方側を板状部３１１に載置し、掃除機本体３０１の前方に位置する吸い込み部３０１ａは板状部３１１より前方に位置するので、吸い込み部も載置する従来の充電器とはその大きさは顕著に小さくなる。
【０１０６】
また、充電器３０７の箱状部３０８の側壁より充電用の端子部３０９を突出させ、掃除機本体３０１の吸い込み部３０１ａ以外の部位に設けた充電用の端子接続部３０５内に充電用の端子部３０９を挿入する構成とすることで、掃除機本体３０１を充電器３０７にセットした状態での全体の外寸を小さくすることができ、充電時や収納時に置き場所を取らないようにできる。
【０１０７】
吸い込み部３０１ａ内に回転ブラシを設けたものでは、回転ブラシに付着した塵埃が掃除機本体３０１を充電器３０７にセットする際に床面上に落ちることがあるが、上述した通り充電器３０７上にその塵埃が落ちないので、掃除を開始するために充電器３０７から掃除機本体３０１を外せば、その落ちた塵埃を簡単に吸い取ることができる。
【０１０８】
また、充電器３０７の箱状部３０８の前面の底面近傍より掃除機本体３０１の一部が載置される板状部３１１を設け、かつ板状部３１１とこれに相対する掃除機本体３０１の下面それぞれに、少なくとも一対以上の互いに係合する凸部３１２及び穴部３０６を設けることで、充電器３０７に対してより確実に掃除機本体３０１を固定することができる。
【０１０９】
また、充電器３０７の箱状部３０８の前面の両端面近傍より一対のガイド３１３を設け、その間に掃除機本体３０１の後方部が位置規制されるようにしているので、充電器３０７に対する掃除機本体３０１のセットをより容易に、かつ確実に行うことができる。特に、ハンドル３０２の上端側の握り部を持って掃除機本体３０１を充電器３０７にセットする場合、ガイド３１３の働きでスムースにかつ確実に行うことができるとともに、充電器３０７全体の強度を向上することができる。
【０１１０】
また、充電器３０７の箱状部３０８の前面上部を傾斜面３１４とすることで、この傾斜面３１４を後部ローラー３１６がころがり、充電器３０７に対する掃除機本体３０１のセットをよりスムースに行うことができる。
【０１１１】
なお、本参考例では、充電器３０７の掃除機本体３０１と相対する面を平面により構成される傾斜面としたが、半径の大きな円筒面（凹面、凸面の何れも可）など、誘い形状となる他の類似形状でも同等の効果が得られる。
【０１１２】
また、掃除機本体３０１側の充電器３０７と相対する面を傾斜面や円筒面にすることでも同様の効果が得られ、更には双方に実施することでその効果がより高まることはいうまでもない。
【０１１３】
また、電動送風機３０４の電動機３０４ａの外周部に充電用の端子接続部３０５を設け、つまり端子接続部３０５を掃除機本体３０１外に突出することなく設けているので、掃除機本体３０１の大きさをコンパクトにすることができ、充電器３０７を含めた充電状態における全体寸法も小型にすることができる。また、電気部品を近接させることにもなるため、内部結線の集中化、合理化を図ることができる。
【０１１４】
また、充電器３０７の箱状部３０８の幅方向の中心線上から外れた位置に充電用の端子部３０９を持つ充電器７において、電源トランス３１０を充電用の端子部３０９の近傍に配置することで、充電器３０７から掃除機本体３０１を外す際に、充電器３０７に働く外力と充電器３０７に働く重力が近い点に作用するために、掃除機本体３０１を充電器３０７からスムースに取り外すことができる。
【０１１５】
また、充電器３０７に掃除機本体３０１をセットした際に、ハンドル３０２と対向する箱状部３０８の上面に表示ランプ３１５を設けることで、充電器３０７へ掃除機本体３０１をセットする際の狙いがつけやすくなり、作業を容易にすることができる。
【０１１６】
また、掃除機本体３０１の後端部には走行用の後部ローラー３１６を下面と後面が掃除機本体３０１から突出する形で設けているため、充電器３０７へ掃除機本体３０１をセットする際に、充電器３０７の傾斜面３１４や箱状部３０８の前面に掃除機本体３０１の後部が干渉した場合でも、傾斜面３１４や箱状部３０８には後部ローラー３１６が当接するために抵抗は少なくなり、着脱作業を容易に行うことができ、また、ローラーに軟質材料を用いることで着脱の際に生じる衝撃の軽減効果や傷付防止効果も期待することができる。
【０１１７】
（参考例９）
つぎに、参考例９について、図４７から図５３を参照しながら説明する。
【０１１８】
図に示すように、掃除機本体４０１は、上部には約１ｍの長さを持った操作用のハンドル４０２を回動自在に保持している。掃除機本体４０１の内部には、二次電池４０３と、この二次電池４０３により駆動される電動送風機４０４を搭載している。さらに、掃除機本体４０１の後方下面には充電用の端子接続部４０５と、穴部４０６を設けている。
【０１１９】
掃除機本体４０１の内部にはスイッチ４１７を内蔵しており、ハンドル４０２に結合されたリング４０２ａが掃除機本体４０１の円筒軸部４０１ｃを軸として後方へ回動するのに伴い、リング４０２ａの一部に設けたカム面４０２ｂがスイッチ４１７のレバー４１７ａを押し、スイッチ４１７が入るようにしている。つまり、カム面４０２ｂの傾斜部を境にして、切り状態と入り状態が切り替わる。
【０１２０】
切り状態であるハンドル４０２が直立の状態から入り状態に切り替わるまでのハンドル４０２の倒れ角度は約１０度であり、これに対して、実使用状態での倒れ角度は、ハンドル長が１ｍの時、少なくとも３０度前後になるため、使用中にスイッチ７１７が切れることはない。
【０１２１】
充電器４０７は、箱状部４０８と、その前部に設けられた充電用の端子部４０９とで構成している。箱状部４０８内の端子部４０９の近傍には充電用の電源トランス４１０を収納している。充電器４０７の外観面上には通電表示用の表示ランプ４１５を設けている。
【０１２２】
箱状部４０８の前面下端に板状部４１１を形成し、更にその板状部４１１に凸部（被係合部）４１２を設け、この凸部４１２は掃除機本体４０１の端子接続部４０５と充電器４０７の端子部４０９を接続した状態で、穴部４０６内に嵌入する位置に設けている。端子接続部４０５には正極接続端子４０５ａと負極接続端子４０５ｂを設け、端子部４０９には正極充電端子４０９ａと負極充電端子４０９ｂを設けており、正極・負極の各端子が互いに接触するだけのシンプルな構成としている。
【０１２３】
さらに、スイッチ４１７が切れる位置にハンドル４０２がある時に、穴部４０６と同じ位置となるリング４０２ａの外周面上に、凹部（係合部）４０２ｃを設けているため、掃除機本体４０１を充電器４０７にセットすると、凸部４１２は穴部４０６を貫通した後に凹部４０２ｃへ嵌入することになる。また、凸部４１２の先端に傾斜部４１２ａを設けている。また、発光ダイオードを用いた表示ランプ４１５を充電器４０７の天面に設けている。
【０１２４】
上記構成において、スイッチ４１７が切れる位置にハンドル４０２がある時に、掃除機本体４０１を充電器４０７にセットすると、凸部４１２は穴部４０６を貫通した後に凹部４０２ｃへ嵌入することになるため、セットした状態ではハンドル４０２は回動せず、従って、スイッチ４１７が入ることもない。逆に、スイッチ４１７が入った状態では、ハンドル４０２は回動していることになり、従って、凹部４０２ｃは穴部４０６とは異なる位置に移動していることになり、掃除機本体４０１を充電器４０７に正規の状態にセットすることはできない。
【０１２５】
従って、正極接続端子４０５ａと正極充電端子４０９ａ、負極接続端子４０５ｂと負極充電端子４０９ｂは、スイッチ４１７が入った状態では何れも互いに接触することがなく、スイッチ４１７が切れた状態でのみ接触し、充電器４０７側と掃除機本体４０１側の回路が接続される。
【０１２６】
凹部４０２ｃと穴部４０６とは掃除機本体４０１の底面に設け、相対する凸部４１２は充電器４０７から上方に向かって突き出ているので、位置さえあわせれば後は掃除機本体４０１の自重によって自動的に嵌合することができる。
【０１２７】
また、穴部４０６は掃除機本体４０１の非可動部品に設けられているために、充電器４０７に対する掃除機本体４０１の位置決めが確実に行われる。凸部４１２の先端部の外周には傾斜部４１２ａを設けているため、掃除機本体４０１の底面の穴部４０６と凹部４０２ｃが多少ずれていても、傾斜部４１２ａが凹部４０２ｃの入口を誘いながら凹部４０２ｃを正規の位置に移動させる。充電器４０７の外観面上に設けた表示ランプ４１５は掃除機本体４０１が充電器４０７に正規の状態にセットされ、端子接続部４０５と端子部４０９が接触したときにのみ点灯する。
【０１２８】
このように、充電器４０７に設けた凸部（被係合部）４１２に係合して充電器４０７へ掃除機本体４０１をセットする凹部（係合部）４０２ｃを設け、この凹部４０２ｃはハンドル４０２の操作に応じて移動し、スイッチ４１７の入状態の位置では凹部４０２ｃが凸部４１２に係合しない構成とすることで、機構的にスイッチ４１７が切れている時にだけ、掃除機本体４０１と充電器４０７が接続できるようになるため、回路構成がシンプルになり、結線に関連して発生する製品不良率が低下し、その結果、安価でありながら充電をより確実に行うことができ、使い勝手を向上することができる。
【０１２９】
また、ハンドル４０２をスイッチ４１７の操作部としているので、別部品を追加することなく、より確実にスイッチ４１７が切れている時にだけ掃除機本体４０１と充電器４０７とを接続できるようになり、安価で、使い勝手を向上することができる。
【０１３０】
また、凹部（係合部）４０２ｃを掃除機本体４０１の底面から臨ませることで、掃除機本体４０１と充電器４０７の嵌合動作が掃除機本体４０１の自重により行われることになり、一旦嵌合してしまえば、人為的に掃除機本体４０１を持ち上げるか、あるいはよほど大きな衝撃でも加わらない限り、掃除機本体４０１が充電器４０７から外れることはなく、より確実に充電を行うことができる。
【０１３１】
また、充電器４０７に設けた凸部（被係合部）４１２を掃除機本体４０１の底面に設けた穴部４０６を介して凹部４０２ｃと係合させる構造としているので、充電器４０７に対する掃除機本体４０１の位置決めがハンドル４０２の回動がた等の影響を受けないので、位置ずれが起こりにくいだけでなく、凸部４１２は確実に正規の位置にガイドされるため、端子接続部４０５と端子部４０９の接触がより正確に行われ、より確実な充電を行うことができる。
【０１３２】
また、充電器４０７に設けた凸部４１２の先端に傾斜部１２ａを設けているので、掃除機本体４０１の底面の穴部４０６と凹部４０２ｃが多少ずれている場合でも、凹部４０２ｃの入口を誘いながら凹部４０２ｃを正規の位置に移動させるので、掃除機本体４０１が充電器４０７に対して装着不充分となることがなく、より確実に充電を行うことができる。
【０１３３】
また、充電器４０７内部あるいは掃除機本体４０１内部のいずれか一方に、掃除機本体４０１と充電器４０７が電気的に接続している時にのみ動作する表示ランプ４１５を設けているので、充電器４０７に対する掃除機本体４０１のセットが不完全なために発生する充電ミスを減少させることができる。
【０１３４】
なお、本参考例では、報知手段として表示ランプ４１５を用いたが、視覚によるものに限定するものではなく、電子アラームなどによる聴覚によるものなど、あらゆる手段を用いることができるのはいうまでもない。
【０１３５】
【発明の効果】
以上のように本発明によれば、前方に塵埃を吸引する吸気口を有し、その後方に掃除機本体外周の少なくとも一部を回動または摺動するハンドルアーム体を有するから、ハンドルアーム体の径を大きくさせることが可能となり強度が向上し、ハンドルアーム体の形状もデザイン的にスリム化できる。
【０１３６】
また、前方に塵埃を吸引する吸気口を有し、後方に集塵室、電動送風機の両方を内蔵する掃除機本体において、前記掃除機本体の略中心を回動中心として掃除機本体外周の少なくとも一部を回動または摺動するハンドルアーム体を有するから、掃除機本体の重量バランスを向上することができ、容易に持ち運びすることができる。
【０１３７】
また、ハンドルアーム体を掃除機本体の長手方向の略中央に位置するよう配設し、前記ハンドルアーム体の略内側に、電動送風機を配設したから、掃除機本体の重量バランスを向上することができて、容易に持ち運びすることができる。さらに、掃除機本体内の集塵室、電動送風機等のスペースを有効に使い、掃除機本体の小型化を図ることができる。
【図面の簡単な説明】
【図１】  本発明の第１の参考例の電気掃除機の断面図（図２のａ−ａ線断面図）
【図２】  同電気掃除機の側面図
【図３】  同電気掃除機の正面図
【図４】  図１のｂ−ｂ線断面図
【図５】  図１のｃ−ｃ線断面図
【図６】  図１のｄ−ｄ線断面図
【図７】  同電気掃除機の電気回路図
【図８】  本発明の第２の参考例の電気掃除機の正面図
【図９】  同電気掃除機の排気風と吸気風および塵埃の流れを示す図
【図１０】  図８のｅ−ｅ線断面図
【図１１】  同電気掃除機の吸い込み部周辺の構成図
【図１２】  図１１のｆ−ｆ線断面図
【図１３】  本発明の第３の参考例の電気掃除機の吸い込み部周辺の構成図
【図１４】  同電気掃除機の風量調節弁を絞った状態を示す図
【図１５】  本発明の第４の参考例の電気掃除機の吸い込み部周辺の構成図
【図１６】  同電気掃除機の他の例の吸い込み部周辺の構成図
【図１７】  同電気掃除機の他の例の吸い込み部周辺の構成図
【図１８】  本発明の第５の参考例の電気掃除機の側断面図
【図１９】  同電気掃除機の断面図
【図２０】  同電気掃除機の他の例の断面図
【図２１】  同電気掃除機の吸込具の操作方向と絨毯の毛の傾きの関係図
【図２２】  本発明の第６の参考例の電気掃除機の吸い込み部周辺の構成図
【図２３】  同電気掃除機の他の例の吸い込み部周辺の構成図
【図２４】  同電気掃除機の他の例の吸い込み部周辺の構成図
【図２５】  同電気掃除機の他の例の吸い込み部周辺の構成図
【図２６】  本発明の第７の参考例の電気掃除機の吸い込み部周辺の構成図
【図２７】  本発明の第１の実施例の電気掃除機の側面図
【図２８】  同電気掃除機の正面図
【図２９】  図２８のｇ−ｇ線断面図
【図３０】  図２８のｈ−ｈ線断面図
【図３１】  （ａ）同電気掃除機に２本の延長管を取り付けた状態を示す側面図
（ｂ）同電気掃除機に１本の延長管を取り付けた状態を示す側面図
（ｃ）同電気掃除機に把手のみ取り付けた状態を示す側面図
【図３２】  同電気掃除機の他の例の一部断面にした側面図
【図３３】  同電気掃除機の他の例の側面図
【図３４】  （ａ）本発明の第２の実施例の電気掃除機の使用状態を示す図
（ｂ）同電気掃除機の他の使用状態を示す図
【図３５】  同電気掃除機の通常使用時の状態を示す図
【図３６】  同電気掃除機の収納状態を示す側面図
【図３７】  本発明の第３の実施例の電気掃除機の部分断面図（図２８のｉ−ｉ線断面図）
【図３８】  同電気掃除機の要部断面図
【図３９】  同電気掃除機の部分拡大断面図
【図４０】  同電気掃除機の動作状態を示す側面図
【図４１】  同電気掃除機の動作状態を示す側面図
【図４２】  本発明の第４の実施例の電気掃除機の要部断面図
【図４３】  本発明の第８の参考例の電気掃除機の充電器から掃除機本体を外した状態の斜視図
【図４４】  （ａ）同電気掃除機の掃除機本体の側面図
（ｂ）同電気掃除機の掃除機本体の上面図
【図４５】  （ａ）同電気掃除機の充電器の側面図
（ｂ）同電気掃除機の充電器の上面図
【図４６】  （ａ）同電気掃除機の掃除機本体と充電器の結合状態を示す側面図
（ｂ）同電気掃除機の掃除機本体と充電器の結合状態を示す上面図
【図４７】  本発明の第９の参考例の電気掃除機の充電器から掃除機本体を外した状態の斜視図
【図４８】  （ａ）同電気掃除機の掃除機本体の側面図
（ｂ）同電気掃除機の掃除機本体の上面図
【図４９】  （ａ）図４８（ｂ）のｊ−ｊ線断面で、同電気掃除機のスイッチ取り付け部を示す断面図
（ｂ）図４９（ａ）のｋ−ｋ線断面図
【図５０】  （ａ）同電気掃除機の充電器の側面図
（ｂ）同電気掃除機の充電器の上面図
【図５１】  （ａ）同電気掃除機の掃除機本体と充電器の結合状態を示す側面図
（ｂ）同電気掃除機の掃除機本体と充電器の結合状態を示す上面図
【図５２】  （ａ）同電気掃除機の掃除機本体と充電器の結合直前状態を示す部分断面図（図５１（ｂ）のｌ−ｌ線断面）
（ｂ）同電気掃除機の掃除機本体と充電器の結合状態を示す部分断面図
【図５３】  同電気掃除機の回路図
【図５４】  従来の電気掃除機の一部断面にした側面図
【図５５】  従来の電気掃除機の他の例の斜視図
【図５６】  従来の電気掃除機の他の例の回路図
【符号の説明】
２１５  掃除機本体
２１９  吸気口
２２７  ハンドルアーム体
２３０  把手
【図１】
0003849476.tif 000002
【図２】
0003849476.tif 000003
【図３】
0003849476.tif 000004
【図４】
0003849476.tif 000005
【図５】
0003849476.tif 000006
【図６】
0003849476.tif 000007
【図７】
0003849476.tif 000008
【図８】
0003849476.tif 000009
【図９】
0003849476.tif 000010
【図１０】
0003849476.tif 000011
【図１１】
0003849476.tif 000012
【図１２】
0003849476.tif 000013
【図１３】
0003849476.tif 000014
【図１４】
0003849476.tif 000015
【図１５】
0003849476.tif 000016
【図１６】
0003849476.tif 000017
【図１７】
0003849476.tif 000018
【図１８】
0003849476.tif 000019
【図１９】
0003849476.tif 000020
【図２０】
0003849476.tif 000021
【図２１】
0003849476.tif 000022
【図２２】
0003849476.tif 000023
【図２３】
0003849476.tif 000024
【図２４】
0003849476.tif 000025
【図２５】
0003849476.tif 000026
【図２６】
0003849476.tif 000027
【図２７】
0003849476.tif 000028
【図２８】
0003849476.tif 000029
【図２９】
0003849476.tif 000030
【図３０】
0003849476.tif 000031
【図３１】
0003849476.tif 000032
【図３２】
0003849476.tif 000033
【図３３】
0003849476.tif 000034
【図３４】
0003849476.tif 000035
【図３５】
0003849476.tif 000036
【図３６】
0003849476.tif 000037
【図３７】
0003849476.tif 000038
【図３８】
0003849476.tif 000039
【図３９】
0003849476.tif 000040
【図４０】
0003849476.tif 000041
【図４１】
0003849476.tif 000042
【図４２】
0003849476.tif 000043
【図４３】
0003849476.tif 000044
【図４４】
0003849476.tif 000045
【図４５】
0003849476.tif 000046
【図４６】
0003849476.tif 000047
【図４７】
0003849476.tif 000048
【図４８】
0003849476.tif 000049
【図４９】
0003849476.tif 000050
【図５０】
0003849476.tif 000051
【図５１】
0003849476.tif 000052
【図５２】
0003849476.tif 000053
【図５３】
0003849476.tif 000054
【図５４】
0003849476.tif 000055
【図５５】
0003849476.tif 000056
【図５６】
0003849476.tif 000057